(57)【要約】      （修正有）【課題】様々な仕様のドライバービットを幅広く組み立てることができ、操作についてクイックリリース機能を有するクイックリリース式工具接続ロッドを提供する。【解決手段】クイックリリース式工具接続ロッドは、本体部材１と、ハウジングと、少なくとも１つのロック機構３とを含む。ハウジングは、本体部材１に移動可能に外嵌される。少なくとも１つのロック機構３は、ハウジングに設けられる傾斜案内面と、本体部材１に設けられる長尺孔と、該長尺孔に設けられるロックボールと、を含む。【選択図】図９
0003229444.tif 000002
【実用新案登録請求の範囲】
【請求項１】
クイックリリース式工具接続ロッドであって、
互いに接続される接続ロッドと作業スリーブとを含み、前記接続ロッドは、動力工具に組み立てられ、前記作業スリーブは、連通する内部空間と挿入接続口とを含み、前記挿入接続口は、駆動部材を前記内部空間内に挿入するために用いられる本体部材と、
前記作業スリーブに移動可能に外嵌され、前記本体部材に対向する内壁面と、前記内壁面の反対側の外壁面とを含むハウジングと、
少なくとも１つのロック機構であって、各前記ロック機構は、傾斜案内面と、長尺孔と、ロックボールとを含み、前記長尺孔は前記作業スリーブに貫設され、前記長尺孔は、互いに直交する開口方向と延在方向とを定義し、前記傾斜案内面は、前記内壁面内に窪んで設けられて前記長尺孔に対向し、前記傾斜案内面は、前記作業スリーブと共に第１収容室を囲んで構成し、前記第１収容室は、前記長尺孔を介して前記内部空間に連通し、前記延在方向に締付端と緩め端とを定義し、前記傾斜案内面は、前記締付端から前記緩め端に向かって前記作業スリーブから徐々に離れ、前記ロックボールは、前記延在方向に沿って移動可能であり、且つ前記開口方向に沿って移動可能に前記長尺孔に制限される少なくとも１つのロック機構と、を含むクイックリリース式工具接続ロッド。
【請求項２】
前記ハウジングがリリース位置からロック位置へ移動すると、前記締付端は、前記ロックボールに近づき、前記傾斜案内面の前記ロックボールに当接する部分は、前記内部空間内に伸び、前記ハウジングが前記ロック位置から前記リリース位置へ移動すると、前記緩め端は、前記ロックボールに近づき、前記ロックボールの一部は、徐々に突出して前記第１収容室に伸びて前記内部空間から後退し、第１弾性部材は、前記ハウジングと前記作業スリーブとの間に接続され、前記ハウジングを前記ロック位置に向かって移動させる傾向を有するように常時付勢する、請求項１に記載のクイックリリース式工具接続ロッド。
【請求項３】
前記ハウジングは前記作業スリーブと共に第２収容室を画定し、突出部材は、前記作業スリーブに位置決めされて前記第２収容室に位置し、前記突出部材は、前記第２収容室を第１領域と第２領域に区画し、前記第１弾性部材は、前記第１領域に設けられ、且つ前記突出部材及び前記ハウジングにそれぞれ連結され、第２弾性部材は、前記第２領域に設けられ、且つ前記突出部材及び前記ハウジングにそれぞれ連結され、前記第２弾性部材は、前記ハウジングを前記リリース位置に移動させる傾向を有するように付勢し、前記第１弾性部材４１の弾性力は、前記第２弾性部材４２の弾性力よりも大きい、請求項２に記載のクイックリリース式工具接続ロッド。
【請求項４】
前記内部空間内に設けられる磁気吸引アセンブリをさらに含み、前記磁気吸引アセンブリは、シート本体と、磁石と、第３弾性部材とを含み、前記第３弾性部材は、前記本体部材及び前記シート本体にそれぞれ接続され、前記磁石は、前記シート本体内に設けられて前記駆動部材を磁気的に吸引する、請求項１に記載のクイックリリース式工具接続ロッド。
【請求項５】
前記作業スリーブの一部を窪ませて設けた調整溝が前記長尺孔の調整端に横方向に連通し、前記調整端は、前記緩め端に近い、請求項１に記載のクイックリリース式工具接続ロッド。
【請求項６】
前記ハウジングの外壁面には、手で押圧されるための滑り止め構造が設けられる、請求項１に記載のクイックリリース式工具接続ロッド。
【請求項７】
前記ハウジングは、前記作業スリーブの軸方向に沿って移動可能であり、前記長尺孔の延在方向は前記作業スリーブの軸方向であり、前記長尺孔の開口方向は前記作業スリーブの径方向であり、前記締付端は前記緩め端よりも前記挿入接続口に近い、請求項１〜６のいずれか１項に記載のクイックリリース式工具接続ロッド。
【請求項８】
前記延在方向において、前記傾斜案内面の長さは、前記長尺孔の長さよりも大きい、請求項７に記載のクイックリリース式工具接続ロッド。
【請求項９】
前記傾斜案内面と前記延在方向との間の角度は３度から８度である、請求項７に記載のクイックリリース式工具接続ロッド。
【考案の詳細な説明】
【技術分野】
【０００１】
本考案は、クイックリリース式工具接続ロッドに関する。
【背景技術】
【０００２】
ドライバーを使用して部材をネジ締めたり取り外したりするとき、手の力だけでねじを回転させることができないことがよくあり、この場合、操作者の負担を軽減し、全体の施工速度を上げるために、動力回転工具に切り替えて工具接続ロッド、ドライバービットと組み合わせて使用する必要がある。
【０００３】
しかしながら、市販の工具接続ロッドは、すべて自社製のドライバービットのみに係合し、一般的な工具接続ロッドは、様々な規格のドライバービットを確実に組み立てることができず、また、従来の工具接続ロッドは、ドライバービットを素早くリリースすることができないため、施工がスムーズでなく、かつ時間がかかる。
【考案の概要】
【考案が解決しようとする課題】
【０００４】
本考案の主な目的は、様々な仕様のドライバービットを幅広く組み立てることができ、操作についてクイックリリース機能を有するクイックリリース式工具接続ロッドを提供することである。
【課題を解決するための手段】
【０００５】
上記目的を達成するために、本考案は、本体部材と、ハウジングと、少なくとも１つのロック機構とを含むクイックリリース式工具接続ロッドを提供する。前記本体部材は、互いに接続される接続ロッドと作業スリーブとを含み、前記接続ロッドは、動力工具に組み立てられ、前記作業スリーブは、連通する内部空間と挿入接続口とを含み、前記挿入接続口は、駆動部材を前記内部空間内に挿入するために用いられ、前記ハウジングは、前記作業スリーブに移動可能に外嵌され、前記本体部材に対向する内壁面と、前記内壁面の反対側の外壁面とを含み、各前記ロック機構は、傾斜案内面と、長尺孔と、ロックボールとを含み、前記長尺孔は前記作業スリーブに貫設され、前記長尺孔は、互いに直交する開口方向と延在方向とを定義し、前記傾斜案内面は、前記内壁面内に凹んで設けられて前記長尺孔に対向し、前記傾斜案内面は、前記作業スリーブと共に第１収容室を囲んで構成し、前記第１収容室は、前記長尺孔を介して前記内部空間に連通し、前記延在方向に締付端と緩め端とを定義し、前記傾斜案内面は、前記締付端から前記緩め端に向かって前記作業スリーブから徐々に離れ、前記ロックボールは、前記延在方向に沿って移動可能であり、且つ前記開口方向に沿って移動可能に前記長尺孔に制限される。
【図面の簡単な説明】
【０００６】
【図１】本考案の一実施例の斜視図である。
【図２】図１の分解図である。
【図３】図１の部分断面図である。
【図４】図１の断面図である。
【図５】本考案の一実施例に係る駆動ビットの挿入接続の動作図である。
【図６】本考案の一実施例に係る駆動ビットの挿入接続の動作図である。
【図７】本考案の一実施例に係る駆動ビットのリリースの模式図である。
【図８】図４の部分拡大図である。
【図９】本考案の一実施例に係る様々な駆動ビットの組み立ての模式図である。
【図１０】本考案の一実施例の動作の模式図である。。
【考案を実施するための形態】
【０００７】
図１〜図１０は、本考案の一実施例を示す。本考案のクイックリリース式工具接続ロッドは、本体部材１と、ハウジング２と、少なくとも１つのロック機構３とを含む。
【０００８】
該本体部材１は、互いに接続される接続ロッド１１と作業スリーブ１２とを含み、該接続ロッド１１は動力工具６に組み立てられ、該作業スリーブ１２は、連通する内部空間１３と挿入接続口１４とを含み、該挿入接続口１４は、駆動部材７Ａ（例えば、ドライバービット）を該内部空間１３内に挿入するために用いられる。該ハウジング２は、該作業スリーブ１２に移動可能に外嵌され、該本体部材１に対向する内壁面２１と、該内壁面２１の反対側の外壁面２２と、を含む。
【０００９】
該少なくとも１つのロック機構３は２つであり、各該ロック機構３は、傾斜案内面３１と、長尺孔３２と、ロックボール３３とを含み、該長尺孔３２は、該作業スリーブ１２に貫設され、該長尺孔３２は、互いに直交する開口方向３２１と延在方向３２２とを定義し、該傾斜案内面３１は、該内壁面２１内に窪んで設けられて該長尺孔３２に対向し、該傾斜案内面３１は、該作業スリーブ１２と共に第１収容室３４を囲んで構成し、該第１収容室３４は、該長尺孔３２を介して該内部空間１３に連通し、該延在方向３２２に締付端３４１と緩め端３４２とを定義し、該傾斜案内面３１は、該締付端３４１から該緩め端３４２に向かって該作業スリーブ１２から離れ、該ロックボール３３は、該延在方向３２２に沿って移動可能であり、且つ該開口方向３２１に沿って移動可能に該長尺孔３２に制限される。
【００１０】
該ハウジング２がリリース位置からロック位置へ移動すると、該締付端３４１は、該ロックボール３３に近づき、該第１収容室３４の該開口方向３２１での空間的な余裕が小さくなり、該傾斜案内面３１の該ロックボール３３に当接する部分は、該内部空間１３内に伸び、該傾斜案内面３１は、該開口方向３２１に該ロックボール３３を無段階で連続的に押圧し、該ロックボール３３が該内部空間１３内に伸びる深さを変更し、それにより、異なるサイズの該駆動部材７Ａ、又は図９に示される異なる態様の他の駆動部材７Ｂ、７Ｃ、７Ｄ、７Ｅ、７Ｆを位置決めすることができる。
【００１１】
図９を参照する。駆動部材７Ａ、７Ｃ、７Ｅの外面が平面であると、該傾斜案内面３１は、該ロックボール３３が該内部空間１３内にわずかに伸びることを可能にし、該ロックボール３３は、該駆動部材７Ａ、７Ｃ、７Ｅを挟持するようにロックする。図９に示される駆動部材７Ｂ、７Ｄ、７Ｆが嵌込溝又はくびれ部を有する場合、該傾斜案内面３１は、該駆動部材７Ｂ、７Ｄ、７Ｆの移動を干渉して阻止するように、該ロックボール３３を該駆動部材７Ｂ、７Ｄ、７Ｆの嵌込溝又はくびれ部内に伸びるようにさらに押圧する。
【００１２】
該ハウジング２が該ロック位置から該リリース位置へ移動すると、該緩め端３４２は、該ロックボール３３に近づき、該第１収容室３４の該開口方向３２１での空間的な余裕が大きくなり、該ロックボール３３の一部は、徐々に突出して該第１収容室３４内に伸びて該内部空間１３から後退する。第１弾性部材４１は、該ハウジング２と該作業スリーブ１２との間に接続され、該ハウジング２を該ロック位置に移動させる傾向を有するように常時付勢し、それにより、該ロックボール３３に対する連続的で安定した押圧を確保し、該駆動部材７Ａが該作業スリーブ１２に挿入接続されると、該ハウジング２は、該ロック位置に安定して保持される。
【００１３】
該ロックボール３３は、該延在方向３２２に沿って該長尺孔３２内にスライド可能に設けられ、該ロックボール３３は、該駆動部材７Ａの異なる表面位置に任意に押圧されてもよく、該駆動部材７Ａのサイズ、又は該作業スリーブ１２のサイズに誤差がある場合にも、該ロックボール３３は、該駆動部材７Ａを位置決めすることができる。該駆動部材７Ａを該内部空間１３内に挿入する過程で、該ロックボール３３は、該駆動部材７Ａの押圧によって該緩め端３４２に移動することができ、該駆動部材７Ａが挿入接続過程で受ける抵抗を効果的に低減させる。該長尺孔３２と該傾斜案内面３１との係合は、図９に示される様々な該駆動部材７Ａ、７Ｂ、７Ｃ、７Ｄ、７Ｅ、７Ｆの挿入接続を可能にする。
【００１４】
好ましくは、該延在方向３２２において、該傾斜案内面３１の長さは、該長尺孔３２の長さよりも大きく、それにより、該第１収容室３４に多様な空間的な余裕を提供する。該延在方向３２２において、該長尺孔３２の長さと該傾斜案内面３１の長さとの比は０．２〜０．４の間であることが好ましい。
【００１５】
また好ましくは、該傾斜案内面３１と該延在方向３２２との間の角度が３度から８度である場合、該ロックボール３３と係合した後、異なる態様の該駆動部材７Ａ、７Ｂ、７Ｃ、７Ｄ、７Ｅ、７Ｆを幅広く位置決めすることができる。
【００１６】
また好ましくは、該作業スリーブ１２の一部を窪ませて設けた調整溝１５が該長尺孔３２の調整端３２３に横方向に連通し、該調整端３２３は、該緩め端３４２に近く、該長尺孔３２の長さを調整し又は該ロックボール３３に該駆動部材７Ａをより確実にロックさせるという効果をさらに提供することができる。
【００１７】
該ハウジング２は、該作業スリーブ１２と共に第２収容室３５を画定し、突出部材３６は、該作業スリーブ１２に位置決めされて該第２収容室３５に位置し、該突出部材３６は、該第２収容室３５を第１領域３５１と第２領域３５２に区画し、該第１弾性部材４１は、該第１領域３５１に設けられ、且つ該突出部材３６及び該ハウジング２にそれぞれ連結される。第２弾性部材４２は、該第２領域３５２に設けられ、且つ該突出部材３６及び該ハウジング２にそれぞれ連結され、該第２弾性部材４２は、該ハウジング２を該リリース位置に移動させる傾向を有するように付勢する。ここで、該第１弾性部材４１の弾性力は、該第２弾性部材４２の弾性力よりも大きい。
【００１８】
該第１弾性部材４１はロック力を該ハウジング２に提供し、該第２弾性部材４２はリリース力を該ハウジング２に提供し、該第２弾性部材４２によってロック力の大きさをわずかに調整することができ、利用者が該ハウジング２を該リリース位置に容易に押すことが可能になる。
【００１９】
本実施例では、該突出部材３６はＥ字状バックルであり、該突出部材３６は嵌設するように該作業スリーブ１２に位置決めされる。そして、該ハウジング２は本体２３と閉塞部材２４とを含み、該傾斜案内面３１は該本体２３の先端部２３１に窪んで設けられ、該作業スリーブ１２の径方向において、該本体２３の末端部２３２は開口しており、該作業スリーブ１２と間隔をおいて配置され、該閉塞部材２４は、該末端部２３２の開口部を塞ぐように該本体２３に設けられ、該第１弾性部材４１は、該突出部材３６と該閉塞部材２４との間に弾性的に当接し、該第２弾性部材４２は、該突出部材３６と該本体２３との間に弾性的に当接する。
【００２０】
該ハウジング２は、該作業スリーブ１２の軸方向に移動可能であり、該長尺孔３２の延在方向３２２は該作業スリーブ１２の軸方向であり、該長尺孔３２の開口方向３２１は該作業スリーブ１２の径方向であり、該締付端３４１は、該緩め端３４２よりも該挿入接続口１４に近く、該ハウジング２を該挿入接続口１４の方向に移動させるように作動すると、リリースすることができる。
【００２１】
好ましくは、該ハウジング２の外壁面２２には、滑り止め構造２５が設けられ、該滑り止め構造２５は、手で押圧されると、安定的かつ迅速に作動することができる。
【００２２】
該クイックリリース式工具接続ロッドは、該内部空間１３内に設けられる磁気吸引アセンブリ５をさらに含み、該磁気吸引アセンブリ５は、ベース本体５１と、磁石５２と、第３弾性部材５３とを含み、該第３弾性部材５３は、該本体部材１及び該ベース本体５１にそれぞれ接続され、該磁石５２は、該ベース本体５１内に設けられて該駆動部材７Ａを磁気的に吸引し、該駆動部材７Ａの安定性をさらに向上させる。該ハウジング２が該リリース位置に移動するとき、該磁石５２は、該駆動部材７Ａを磁気的に吸引して落下を回避することができる。
【００２３】
本実施例では、該作業スリーブ１２は、該内部空間１３内に突出して伸びる第１段差部１６をさらに含み、該ベース本体５１は、円筒状であり、小径部５１１と大径部５１２を含み、該小径部５１１と該大径部５１２が接続されて第２段差部５１３が形成され、該第２段差部５１３は、該挿入接続口１４に対向して該第１段差部１６に選択可能に当接することにより、該磁石５２の位置を制限して該磁石５２の該挿入接続口１４からの抜けを回避する。
【符号の説明】
【００２４】
１    本体部材
１１    接続ロッド
１２    作業スリーブ
１３    内部空間
１４    挿入接続口
１５    調整溝
１６    第１段差部
２    ハウジング
２１    内壁面
２２    外壁面
２３    本体
２３１    先端部
２３２    末端部
２４    閉塞部材
２５    滑り止め構造
３    ロック機構
３１    傾斜案内面
３２    長尺孔
３２１    開口方向
３２２    延在方向
３２３    調整端
３３    ロックボール
３４    第１収容室
３４１    締付端
３４２    緩め端
３５    第２収容室
３５１    第１領域
３５２    第２領域
３６    突出部材
４１    第１弾性部材
４２    第２弾性部材
５    磁気吸引アセンブリ
５１    シート本体
５１１    小径部
５１２    大径部
５１３    第２段差部
５２    磁石
５３    第３弾性部材
６    動力工具
７Ａ、７Ｂ、７Ｃ、７Ｄ、７Ｅ、７Ｆ    駆動部材
【図１】
0003229444.tif 000003
【図２】
0003229444.tif 000004
【図３】
0003229444.tif 000005
【図４】
0003229444.tif 000006
【図５】
0003229444.tif 000007
【図６】
0003229444.tif 000008
【図７】
0003229444.tif 000009
【図８】
0003229444.tif 000010
【図９】
0003229444.tif 000011
【図１０】
0003229444.tif 000012